(57)【要約】【課題】辞書機能を備えた電子機器において、ユーザ所望の見出し語を検索する際に、紙の辞書のように周辺の見出し語の辞書情報も見つけ易く表示させる。【解決手段】入力された検索語に対応して辞書から検索された見出し語（単語）とその説明情報が取得されると、タッチパネル表示部１５の画面領域（Ｇ）に対する当該見出し語とその説明情報の表示サイズが算出され、前記画面領域に余裕があるか判断される。余裕があると判断されると、前記検索された見出し語の前記辞書内での次の見出し語とその説明情報、前の見出し語とその説明情報、２つ後ろ以降の見出し語とその説明情報が順次取得され、その都度、当該各見出し語とそのそれぞれの説明情報を合わせた表示サイズが算出され、前記画面領域に余裕があるか判断される。そして余裕があると判断されて取得された各見出し語とそのそれぞれの説明情報が前記表示部１５に展開されて表示される。【選択図】      図１
2015166905.tif 000002
【特許請求の範囲】
【請求項１】
表示部と、
ユーザ操作に応じて辞書データから１つの見出し語を指定する見出し語指定手段と、
前記指定された見出し語の説明情報を前記表示部に表示する際に、前記指定された見出し語に隣接する見出し語の説明情報を追加して表示する表示制御手段と、
を備えたことを特徴とする辞書表示機能を備えた電子機器。
【請求項２】
複数の見出し語と当該各見出し語の説明情報とを対応付けた辞書データを記憶している辞書記憶手段を備え、
前記表示制御手段は、
前記説明情報の表示量を算出する表示量算出手段と、
前記算出された表示量に基づいて前記表示部の表示画面に余裕があるか判断する判断手段を備え、
前記判断手段が余裕があると判断した場合に、前記指定された見出し語に隣接する見出し語の説明情報を追加して表示するようにした、
ことを特徴とする請求項１に記載の辞書表示機能を備えた電子機器。
【請求項３】
ユーザ操作に応じて、複数の項目を有する前記説明情報から表示対象とする項目を設定する表示項目設定手段を備え、
前記表示量算出手段は、前記表示項目設定手段により表示対象に設定された項目の説明情報に基づいて表示量を算出する、
ことを特徴とする請求項２に記載の辞書表示機能を備えた電子機器。
【請求項４】
ユーザ操作に応じて前記説明情報の表示態様を設定する表示態様設定手段を備え、
前記表示量算出手段は、前記表示態様設定手段により設定された表示態様により表示した場合の説明情報の表示量を算出する、
ことを特徴とする請求項２に記載の辞書表示機能を備えた電子機器。
【請求項５】
前記表示制御手段は、前記判断手段により前記表示部の画面に余裕があると判断された場合に前記指定された見出し語の前後の見出し語の説明情報を追加して表示するようにした、
ことを特徴とする請求項２に記載の辞書表示機能を備えた電子機器。
【請求項６】
表示部を備えた電子機器のコンピュータを制御するためのプログラムであって、
前記コンピュータを、
ユーザ操作に応じて辞書データから１つの見出し語を指定する見出し語指定手段、
前記指定された見出し語の説明情報を前記表示部に表示する際に、前記指定された見出し語に隣接する見出し語の説明情報を追加して表示する表示制御手段、
として機能させるようにしたコンピュータ読み込み可能なプログラム。
【発明の詳細な説明】
【技術分野】
【０００１】
本発明は、辞書の見出し語を検索してその説明情報を表示する辞書表示機能を備えた電子機器およびその制御プログラムに関する。
【背景技術】
【０００２】
ユーザにより入力された検索語に対応して、辞書データから検索された見出し語（単語）とその説明情報を表示画面に表示させる電子辞書が実用されている。
【０００３】
一般に従来の電子辞書は、前記検索語と完全一致で検索された１つの見出し語とその説明情報、あるいは前記検索語と前方一致で検索された各見出し語の中から選択した１つの見出し語とその説明情報を表示画面に表示させている。
【０００４】
このため、前記表示画面に表示させる１つの見出し語とその説明情報の情報量が少ない場合、その表示画面には大きな余白が残ることになる。
【０００５】
従来の辞書情報表示制御装置であって、複数の辞書を対象にして見出し語検索した場合に、主要な辞書の見出し語の語義の説明情報と、この説明情報に対応する他の辞書の同じ見出し語の語義の説明情報とを、上下２分割に設定した表示画面に並列にさせることが考えられている（例えば、特許文献１参照。）。
【先行技術文献】
【特許文献】
【０００６】
【特許文献１】特開２００５−２０２８５９号公報
【発明の概要】
【発明が解決しようとする課題】
【０００７】
従来の電子辞書では、ユーザ所望の検索語に対応した見出し語とその説明情報を、紙の辞書を引く場合よりも素早く検索して表示させることができる。一方、紙の辞書の場合、ユーザ所望の見出し語を引く際には、当該所望の見出し語の周辺にある他の見出し語とその説明情報も常に一覧として見ることができるので、前記所望の見出し語に関連のある、あるいはユーザが関心のある他の見出し語の辞書情報を見つけ易い利点がある。
【０００８】
本発明は、このような課題に鑑みなされたもので、ユーザ所望の見出し語を検索する際に、紙の辞書のように周辺の見出し語の辞書情報も見つけ易く表示させることが可能になる辞書表示機能を備えた電子機器およびその制御プログラムを提供することを目的とする。
【課題を解決するための手段】
【０００９】
本発明に係る辞書機能を備えた電子機器は、表示部と、ユーザ操作に応じて辞書データから１つの見出し語を指定する見出し語指定手段と、前記指定された見出し語の説明情報を前記表示部に表示する際に、前記指定された見出し語に隣接する見出し語の説明情報を追加して表示する表示制御手段と、を備えたことを特徴としている。
【発明の効果】
【００１０】
本発明によれば、ユーザ所望の見出し語を検索する際に、紙の辞書のように周辺の見出し語の辞書情報も見つけ易く表示させることが可能になる。
【図面の簡単な説明】
【００１１】
【図１】本発明の辞書表示機能を備えた電子機器の実施形態に係る電子辞書装置１０の外観構成を示す斜視図。
【図２】前記電子辞書装置１０の電子回路の構成を示すブロック図。
【図３】前記電子辞書装置１０の辞書の見出し語（単語）に対応付けた説明情報として集録されている項目の内容を示す図。
【図４】前記電子辞書装置１０に記憶されるフィルタ（表示項目・態様）設定データ２２ｃの内容を示す図。
【図５】前記電子辞書装置１０の単語検索処理を示すフローチャート。
【図６】前記電子辞書装置１０の単語検索処理に伴う次単語の特定処理を示すフローチャート。
【図７】前記電子辞書装置１０のフィルタ（表示項目・態様）設定データ２２ｃに基づくフィルタ設定処理を示すフローチャート。
【図８】前記電子辞書装置１０の単語検索処理に伴う単語情報の表示動作を示す図。
【図９】前記電子辞書装置１０のフィルタ（表示項目・態様）設定処理に応じた単語情報の表示動作を示す図。
【発明を実施するための形態】
【００１２】
以下図面により本発明の実施の形態について説明する。
【００１３】
図１は、本発明の辞書表示機能を備えた電子機器の実施形態に係る電子辞書装置１０の外観構成を示す斜視図である。
【００１４】
図２は、前記電子辞書装置１０の電子回路の構成を示すブロック図である。
【００１５】
この電子辞書装置１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１６】
この電子辞書装置１０は、その本体ケース１１と蓋体ケース１２とがヒンジ部１３を介して開閉可能な折り畳み型ケースを備えて構成される。この折り畳み型ケースを展開した本体ケース１１の表面にはキー入力部１４が備えられる。
【００１７】
このキー入力部１４には、検索語の入力など文字を入力するための文字入力キーのほか、各種の辞書を含む機能を選択項目として表記したメニュー画面を表示させるための［Ｍｅｎｕ］キー、入力された検索語や選択された項目を決定するための［決定］キー、動作状態を１ステップずつ元に戻すための［戻る］キーなどが設けられる。
【００１８】
また、前記蓋体ケース１２の表面には、そのほぼ全面に渡ってバックライト付きのタッチパネル表示部１５が設けられる。このタッチパネル表示部１５は、ユーザがペンや指等でタッチした位置を検出するタッチ位置検出装置と表示装置が一体となった構造であり、そのバックライト付きカラー液晶表示画面に透明タッチパネルを重ねて構成される。
【００１９】
この電子辞書装置１０は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２０】
このＣＰＵ２１は、記憶装置２２内に予め記憶された装置制御プログラム２２ａを、ＲＡＭ２６を作業用メモリとして実行し、回路各部の動作を制御する。なお、装置制御プログラム２２ａは、ＲＯＭカードなどの外部記録媒体２３から記録媒体読み取り部２４を介して前記記憶装置２２に読み込ませたり、あるいはインターネットＮ上のＷｅｂサーバ（この場合はプログラムサーバ）３０から通信部２５を介して前記記憶装置２２に読み込ませてもよい。
【００２１】
前記記憶装置２２に記憶された装置制御プログラム２２ａは、キー入力部１４、タッチパネル表示部１５からのユーザ操作に応じた入力信号、あるいは通信部２５を介して接続されるインターネットＮ上の各Ｗｅｂサーバ３０…との通信信号に応じて起動される。
【００２２】
このように、前記ＣＰＵ２１には、前記記憶装置２２、記録媒体読み取り部２４、通信部２５、ＲＡＭ２６、キー入力部１４、タッチパネル表示部１５が接続される。
【００２３】
前記記憶装置２２に記憶される装置制御プログラム２２ａとしては、当該電子辞書装置１０の全体の動作を司るシステムプログラム、通信部２５を介してインターネットＮ上の各Ｗｅｂサーバ３０…や図示しない外部ＰＣ(Personal Computer)などとデータ通信するための通信プログラム等が記憶される。また、前記装置制御プログラム２２ａとして、検索語入力処理、検索語に対応した見出し語検索処理、検索見出し語（単語）の一覧表示処理、指定された見出し語（単語）に対応する語義・発音・品詞・例文などの各種の項目からなる説明情報の読み出し表示処理、前記説明情報の表示対象とする項目と各項目を改行させて表示させるか否かの表示態様をユーザ任意に設定するフィルタ設定処理、前記検索語に対応した見出し語（単語）とその説明情報の表示サイズに応じて前記タッチパネル表示部１５の画面領域に余裕のある範囲で当該見出し語（単語）の辞書内での次の見出し語（単語）や前の見出し語（単語）とその説明情報も読み出して表示させる辞書情報追加表示処理など、同記憶装置２２内の辞書データベース２２ｂ、フィルタ設定データ２２ｃに基づく検索・読み出し・表示処理全般を制御するための辞書検索プログラムが記憶される。
【００２４】
前記辞書データベース２２ｂには、例えば、日本語の各見出し語（単語）とその説明情報とを対応付けて集録した国語辞書、英語の各見出し語（単語）とその日本語での説明情報とを対応付けて集録した英和辞書、英語の各見出し語（単語）とその英語での説明情報とを対応付けて集録した英英辞書等、各種の辞書が予め記憶されるか外部から読み込まれて記憶される。
【００２５】
図３は、前記電子辞書装置１０の辞書の見出し語（単語）に対応付けた説明情報として集録されている項目の内容を示す図である。
【００２６】
前記辞書データベース２２ｂに記憶される各辞書には、当該辞書内の見出し語毎に、その見出し語番号、見出し語（単語）、発音記号、品詞、語義番号、語義、解説、例文、成句、派生語が対応付けられて集録されている。
【００２７】
図４は、前記電子辞書装置１０に記憶されるフィルタ設定データ２２ｃの内容を示す図である。
【００２８】
このフィルタ設定データ２２ｃには、前記辞書の見出し語に対応付けた説明情報の項目毎に、その項目の説明情報を表示させるか否かを示す表示項目の設定データ(On/Off)が記憶される。また、説明情報には、通常の表示において読みやすくするために、必要な箇所に改行が入っているが、この改行をなくして情報を詰めて表示させることもできる。フィルタ設定データ２２ｃには、当該表示させる項目を改行して表示させるか否かを示す表示態様の設定データ(On/Off)も記憶される。当該各表示項目と表示態様の設定データ(On/Off)は、後述するように、フィルタアイコンＦ（図９参照）のタッチ操作に応じて表示されるフィルタ設定メニューＭのユーザ操作に従い設定登録される。
【００２９】
前記ＲＡＭ２６には、表示データメモリ２６ａ、検索語データメモリ２６ｂなどが確保される。
【００３０】
前記表示データメモリ（表示バッファ）２６ａには、前記タッチパネル表示部１５に表示させる表示データがビットマップパターンに展開されて記憶される。
【００３１】
前記検索語データメモリ２６ｂには、検索対象として指定された辞書の検索語入力エリアに入力された検索語の文字列が記憶される。
【００３２】
そして、この電子辞書装置１０は、通常の辞書機能として、見出し語検索画面の検索語入力エリアに検索語の文字を１文字ずつ入力する毎に、当該入力された文字列と前方一致する見出し語を検索するインクリメンタルサーチ機能、このインクリメンタルサーチに伴い検索語と前方一致した一連の見出し語を抽出して一覧表示させる見出し語一覧表示機能、前記一覧表示された各見出し語のうちユーザ操作に応じて指定された見出し語（単語）の説明情報を前記フィルタ設定データ２２ｃに設定された表示対象の項目・態様に従い展開して表示させる説明情報表示機能等を有し、加えて、前記指定された見出し語（単語）とその説明情報の表示サイズに応じて前記タッチパネル表示部１５の画面領域に余裕のある範囲で当該見出し語（単語）の辞書内での次の見出し語（単語）や前の見出し語（単語）とそのそれぞれの説明情報も展開して表示させる辞書情報追加表示機能を有する。
【００３３】
このように構成された電子辞書装置１０は、前記ＣＰＵ２１が前記装置制御プログラム２２ａ（検索語入力処理、見出し語検索処理、見出し語一覧表示処理、指定見出し語の説明情報表示処理、フィルタ設定処理、辞書情報追加表示処理等を実行するためのプログラムを含む）に記述された命令に従い回路各部の動作を制御し、ソフトウエアとハードウエアとが協働して動作することにより、以下の動作説明で述べる機能を実現する。
【００３４】
次に、前記構成による電子辞書装置１０の動作について説明する。
【００３５】
図５は、前記電子辞書装置１０の単語検索処理を示すフローチャートである。
【００３６】
図６は、前記電子辞書装置１０の単語検索処理に伴う次単語の特定処理を示すフローチャートである。
【００３７】
図７は、前記電子辞書装置１０のフィルタ設定データ２２ｃに基づくフィルタ設定処理を示すフローチャートである。
【００３８】
図８は、前記電子辞書装置１０の単語検索処理に伴う単語情報の表示動作を示す図である。
【００３９】
前記キー入力部１４のユーザ操作に応じて任意の辞書が指定され、当該指定の辞書の見出し語検索画面（図示せず）がタッチパネル表示部１５に表示された状態で、前記見出し語検索画面の検索語入力エリアに所望の検索語が入力されて表示されると（ステップＳ１）、前記指定の辞書から前記入力された検索語と前方一致する見出し語（単語）が検索され（ステップＳ２）、この検索された各見出し語（単語）が、前記見出し語検索画面に一覧にして表示される（ステップＳ３）。
【００４０】
この見出し語検索画面において一覧表示されている各見出し語（単語）の中から、ユーザ所望の見出し語（単語）が指定されると（ステップＳ４（Ｙｅｓ））、この指定された見出し語（単語）に対応付けられて前記指定の辞書に集録されている説明情報（図３の２２ｂ参照）が取得される（ステップＳ５）。
【００４１】
すると、前記取得された説明情報の中から、前記フィルタ設定データ２２ｃとして設定されている、項目の説明情報を表示させるか否かを示す表示項目のデータが抽出される（ステップＳ６）。
【００４２】
また、前記フィルタ設定データ２２ｃとして設定されている、改行して表示させるか否かを示す表示態様のデータが確認される（ステップＳ７）。
【００４３】
そして、前記指定の見出し語（単語）に対応して取得された説明情報のうち、前記フィルタ設定されている表示項目の説明情報と表示態様（表示項目毎の改行の有無）とに基づき、前記タッチパネル表示部１５の画面領域（説明情報表示画面Ｇ（図８参照））に占める前記指定の見出し語（単語）とその説明情報の表示サイズ（表示情報量）が算出される（ステップＳ８）。すると、この表示サイズを表示した場合に、当該画面領域に空き領域があるか否か、つまり他の情報を表示させる余裕があるか否か判断される（ステップＳ９）。
【００４４】
ここで、他の情報を表示させる余裕があると判断されると、図６における次単語の特定処理に移行される（ステップＳ１０）。
【００４５】
この次単語の特定処理では、余裕がある画面に追加表示される単語が幾つめであるかを判断し、その番目に応じて指定された見出し語の前か後ろかの単語が特定される。先ず、１つ目の単語の特定処理であると判断されると（ステップＳ１０１（Ｙｅｓ））、前記指定の辞書における前記指定の見出し語（単語）の次の見出し語（単語）が特定される（ステップＳ１０２）。
【００４６】
すると、前記ステップＳ５〜Ｓ９の処理が同様に繰り返され、前記特定された次の見出し語（単語）を対象に、前記フィルタ設定されている表示項目の説明情報と表示態様とに基づき、当該次の見出し語（単語）とその説明情報の表示サイズ（表示情報量）が算出され、前記指定の見出し語（単語）とその説明情報の表示サイズと合わせて、前記表示部１５の画面領域にさらに他の情報を表示させる余裕があるか否か判断される。
【００４７】
ここで、さらに他の情報を表示させる余裕があると判断されると（ステップＳ９（Ｙｅｓ））、前記図６における次単語の特定処理へ再び移行される（ステップＳ１０）。
【００４８】
この２回目の特定処理では、２つ目の単語の特定処理であると判断され（ステップＳ１０３（Ｙｅｓ））、前記指定の辞書における前記指定の見出し語（単語）の前の見出し語（単語）が特定される（ステップＳ１０４）。
【００４９】
するとまた、前記ステップＳ５〜Ｓ９の処理が同様に繰り返され、前記特定された前の見出し語（単語）を対象に、前記フィルタ設定されている表示項目の説明情報と表示態様とに基づき、当該前の見出し語（単語）とその説明情報の表示サイズ（表示情報量）が算出され、前記指定の見出し語（単語）とその説明情報の表示サイズおよび前記次の見出し語（単語）とその説明情報の表示サイズと合わせて、前記表示部１５の画面領域にさらに他の情報を表示させる余裕があるか否か判断される。
【００５０】
ここで、さらに他の情報を表示させる余裕があると判断されると（ステップＳ９（Ｙｅｓ））、前記図６における次単語の特定処理へ再び移行される（ステップＳ１０）。
【００５１】
この３回目からの特定処理では、３つ目以上の単語の特定処理であると判断され（ステップＳ１０５（Ｙｅｓ））、前記指定の辞書における前記指定の見出し語（単語）の２つ後の見出し語（単語）から順番に特定される（ステップＳ１０６）。
【００５２】
すなわち具体的には、英和辞書（２２ｂ）から検索された指定の見出し語が“hi1”であったとすると、その説明情報の表示サイズが算出され、前記表示部１５の画面領域に余裕があると判断されると（ステップＳ１〜Ｓ９（Ｙｅｓ））、前記指定の見出し語“hi1”の次の見出し語“hi2”が特定される（ステップＳ１０１（Ｙｅｓ）→Ｓ１０２）。
【００５３】
そして、前記指定の見出し語“hi1”とその説明情報の表示サイズに前記特定された次の見出し語“hi2”とその説明情報の表示サイズを合わせて、前記表示部１５の画面領域にまだ余裕があると判断されると（ステップＳ５〜Ｓ９（Ｙｅｓ））、前記指定の見出し語“hi1”の前の見出し語“HHS”が特定される（ステップＳ１０３（Ｙｅｓ）→Ｓ１０４）。
【００５４】
そしてさらに、前記指定の見出し語“hi1”とその説明情報の表示サイズおよび前記次の見出し語“hi2”とその説明情報の表示サイズに前記特定された前の見出し語“HHS”とその説明情報の表示サイズを合わせて、前記表示部１５の画面領域にまだ余裕があると判断されると（ステップＳ５〜Ｓ９（Ｙｅｓ））、前記指定の見出し語“hi1”の２つ後の見出し語“HI”が特定される（ステップＳ１０５（Ｙｅｓ）→Ｓ１０６）。
【００５５】
この後同様に、前記指定の見出し語“hi1”、前記次の見出し語“hi2”、前記前の見出し語“HHS”、前記２つ後の見出し語“HI”とそのそれぞれの説明情報の表示サイズを合わせて、前記表示部１５の画面領域にまだ余裕があると判断されると（ステップＳ５〜Ｓ９（Ｙｅｓ））、前記指定の見出し語“hi1”の３つ後の見出し語“hi ah”が特定される（ステップＳ１０５（Ｙｅｓ）→Ｓ１０６）。
【００５６】
そしてさらに、前記指定の見出し語“hi1”の４つ後の見出し語“hi-a le ah”、５つ後の見出し語“hi-a tus”が特定された際に（ステップＳ１０５（Ｙｅｓ）→Ｓ１０６）、前記表示部１５の画面領域に余裕がなくなったと判断されると（ステップＳ５〜Ｓ９（Ｎｏ））、前記余裕ありと判断されて納まったところの前記指定の見出し語（単語）“hi1”、次の見出し語“hi2”、前の見出し語“HHS”、２つ後の見出し語“HI”、３つ後の見出し語“hi ah”、４つ後の見出し語“hi-a le ah”とそのそれぞれの説明情報が表示バッファ（表示データメモリ２６ａ）に書き込まれ（ステップＳ１１）、図８（Ａ）に示すように、説明情報表示画面Ｇとしてタッチパネル表示部１５に表示される（ステップＳ１２）。
【００５７】
これによれば、前記指定の見出し語“hi1”の周辺にある他の見出し語とそのそれぞれの説明情報も一覧として紙の辞書のように見つけ易く表示させることが可能になる。
【００５８】
なおこの場合、前記指定の見出し語“hi1”を含めた他の複数の見出し語とそのそれぞれの説明情報も合わせて表示されるので、図８（Ｂ）に示すように、当該指定の見出し語“hi1”とその説明情報に対応した表示の部分は、背景に色を着けるなどして強調表示Ｈさせる構成としてもよい。
【００５９】
図９は、前記電子辞書装置１０のフィルタ（表示項目・態様）設定処理に応じた単語情報の表示動作を示す図である。
【００６０】
図９（Ａ）に示すように、前記単語検索処理に従いタッチパネル表示部１５に表示された説明情報表示画面Ｇにおいて、当該画面Ｇの左端のアイコン入力エリア１５ａに表示されているフィルタアイコンＦがタッチされて選択されると（ステップＴ１（Ｙｅｓ））、前記記憶装置２２に記憶されるフィルタ設定データ２２ｃ（図４参照）の各表示項目と表示態様の設定データ(On/Off)をユーザ操作に応じて設定するためのフィルタ設定メニューＭが同画面Ｇの下端に表示される（ステップＴ２）。
【００６１】
このフィルタ設定メニューＭにおいて、各表示項目（語義／発音／品詞／例文／成句／解説／派生）と表示態様（改行）に対応付けられて表示された[ON/OFF]ボタンがタッチされ[ON]または[OFF]に設定されると（ステップＴ３）、前記フィルタ設定データ２２ｃの各表示項目と表示態様についての設定データ(On/Off)が更新されて登録される（ステップＴ４）。
【００６２】
すると、図９（Ａ）に示すように、前記説明情報表示画面Ｇに表示される各見出し語に対応した説明情報の各表示項目が、前記フィルタ設定データ２２ｃの更新後の設定データ(On/Off)に応じて表示または非表示となって表示されると共に、表示された各表示項目の内容が改行または非改行とされて表示される。
【００６３】
なお、前記説明情報表示画面Ｇに表示される前記指定の見出し語“hi1”とその説明情報、および前記指定の見出し語“hi1”の前後にある各見出し語とそのそれぞれの説明情報のうち、前記図８（Ｂ）や図９（Ａ）で示したように、前記指定の見出し語“hi1”とその説明情報の表示部分のみ強調表示Ｈさせるのではなく、図９（Ｂ）に示すように、個々の見出し語の表示部分も強調表示ｈ…させることで、複数の見出し語とその説明情報をさらに見易く表示させる構成としてもよい。
【００６４】
したがって、前記構成の電子辞書装置１０によれば、ユーザ入力された検索語に対応して辞書データ（２２ｂ）から検索された見出し語（単語）とその説明情報が取得されると、タッチパネル表示部１５の画面領域（Ｇ）に対する当該見出し語とその説明情報の表示サイズが算出され、当該画面領域に余裕があるか否か判断される。前記画面領域に余裕があると判断されると、前記検索された見出し語の前記辞書データ内での次の見出し語とその説明情報、前の見出し語とその説明情報、２つ後ろ以降の見出し語とその説明情報が順次取得され、その都度、当該各見出し語とそのそれぞれの説明情報を合わせた表示サイズが算出され、前記画面領域に余裕があるか否か判断される。そして、前記画面領域に余裕がある（納まる）と判断されて取得された各見出し語とそのそれぞれの説明情報が前記表示部１５に展開されて表示される。
【００６５】
これにより、ユーザ所望の見出し語を検索する際に、紙の辞書のように周辺の見出し語の辞書情報も見つけ易く表示させることが可能になる。
【００６６】
また、前記構成の電子辞書装置１０によれば、ユーザ操作に応じたフィルタ（表示項目・態様）設定処理により（図３、図４、図７参照）、前記見出し語の説明情報に含まれる各項目（語義／発音／品詞／例文／成句／解説／派生）の各々について表示させるか否かの表示項目を設定できると共に、当該各表示項目を改行して表示させるか否かの表示態様を設定できる。
【００６７】
これにより、前記検索された見出し語と共に前記画面領域（Ｇ）に表示させる各見出し語それぞれの説明情報の情報量とその表示態様を設定できる。
【００６８】
なお、前記各実施形態において記載した電子辞書装置１０による各処理の手法、すなわち、図５のフローチャートに示す単語検索処理、図６のフローチャートに示す前記単語検索処理に伴う次単語の特定処理、図７のフローチャートに示すフィルタ設定処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体（２３）に格納して配布することができる。そして、辞書データベース（２２ｂ）および表示部（１５）を備えた電子機器のコンピュータ（制御装置）は、この外部記録装置の媒体（２３）に記憶されたプログラムを記憶装置（２２）に読み込み、この読み込んだプログラムによって動作が制御されることにより、前記各実施形態において説明した単語検索機能やフィルタ設定機能を実現し、前述した手法による同様の処理を実行することができる。
【００６９】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを辞書データベース（２２ｂ）および表示部（１５）を備えた電子機器に取り込んで記憶装置（２２）に記憶させ、前述した単語検索機能やフィルタ設定機能を実現することもできる。
【００７０】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７１】
以下に、本願出願の当初の特許請求の範囲に記載された発明を付記する。
【００７２】
［１］
表示部と、
ユーザ操作に応じて辞書データから１つの見出し語を指定する見出し語指定手段と、
前記指定された見出し語の説明情報を前記表示部に表示する際に、前記指定された見出し語に隣接する見出し語の説明情報を追加して表示する表示制御手段と、
を備えたことを特徴とする辞書表示機能を備えた電子機器。
【００７３】
［２］
複数の見出し語と当該各見出し語の説明情報とを対応付けた辞書データを記憶している辞書記憶手段を備え、
前記表示制御手段は、
前記説明情報の表示量を算出する表示量算出手段と、
前記算出された表示量に基づいて前記表示部の表示画面に余裕があるか判断する判断手段を備え、
前記判断手段が余裕があると判断した場合に、前記指定された見出し語に隣接する見出し語の説明情報を追加して表示するようにした、
ことを特徴とする［１］に記載の辞書表示機能を備えた電子機器。
【００７４】
［３］
ユーザ操作に応じて、複数の項目を有する前記説明情報から表示対象とする項目を設定する表示項目設定手段を備え、
前記表示量算出手段は、前記表示項目設定手段により表示対象に設定された項目の説明情報に基づいて表示量を算出する、
ことを特徴とする［２］に記載の辞書表示機能を備えた電子機器。
【００７５】
［４］
ユーザ操作に応じて前記説明情報の表示態様を設定する表示態様設定手段を備え、
前記表示量算出手段は、前記表示態様設定手段により設定された表示態様により表示した場合の説明情報の表示量を算出する、
ことを特徴とする［２］に記載の辞書表示機能を備えた電子機器。
【００７６】
［５］
前記表示制御手段は、前記判断手段により前記表示部の画面に余裕があると判断された場合に前記指定された見出し語の前後の見出し語の説明情報を追加して表示するようにした、
ことを特徴とする［２］に記載の辞書表示機能を備えた電子機器。
［６］
表示部を備えた電子機器のコンピュータを制御するためのプログラムであって、
前記コンピュータを、
ユーザ操作に応じて辞書データから１つの見出し語を指定する見出し語指定手段、
前記指定された見出し語の説明情報を前記表示部に表示する際に、前記指定された見出し語に隣接する見出し語の説明情報を追加して表示する表示制御手段、
として機能させるようにしたコンピュータ読み込み可能なプログラム。
【符号の説明】
【００７７】
１０  …電子辞書装置
１４  …キー入力部
１５  …タッチパネル表示部
２１  …ＣＰＵ
２２  …記憶装置
２２ａ…装置制御プログラム
２２ｂ…辞書データベース
２２ｃ…表示項目・態様データ
２３  …外部記録媒体
２４  …記録媒体読み取り部
２５  …通信部
２６  …ＲＡＭ
２６ａ…表示データメモリ
２６ｂ…検索語データメモリ
３０  …Ｗｅｂサーバ
Ｎ  …通信ネットワーク
【図１】
2015166905.tif 000003
【図２】
2015166905.tif 000004
【図３】
2015166905.tif 000005
【図４】
2015166905.tif 000006
【図５】
2015166905.tif 000007
【図６】
2015166905.tif 000008
【図７】
2015166905.tif 000009
【図８】
2015166905.tif 000010
【図９】
2015166905.tif 000011